(57)【要約】      （修正有）【課題】縁かがり縫い後に最少限の手間、時間で縫目をその全長に亘り確実、迅速かつ見栄え良く拡張することが可能で、仕上りの良い衣類の生産性向上が可能な衣類の縫目拡張装置を提供する。【解決手段】縁かがり縫いによりＪＩＳの表記記号クラス５００に分類される縫目Ｓが形成された生地部を縫目長手方向の両側に展開したとき、その両側の生地部ＵＷ，ＬＷを挟んで縫目長手方向に向けて強制移送する左右一対の生地部強制移送装置３Ｌ，３Ｒと、左右一対の生地部強制移送装置間の中央又は略中央位置に配置されて強制移送される衣類における縫目がその長手方向に沿って移動するようにガイドする縫目移動ガイド４と、縫目移動ガイドに沿って縫目が移動ガイドされる状態で左右の生地部が強制移送されるとき、該左右の生地部に縫目長手方向に対して直交する方向の引張り力ｆを付与して縫目をその長手方向に沿って順次拡張する縫目拡張機構５と、が備えられている。【選択図】図６
2019010498.tif 000002
【特許請求の範囲】
【請求項１】
重なり合った二枚の生地部の縁かがり縫いにより収縮状態の縫目が形成された衣類における前記二枚の生地部を前記縫目の長手方向に対して直交する方向の両側に展開したとき、その展開した二枚の生地部の端縁が突き合わせ縫い状態となるように前記収縮状態の縫目を拡張する衣類の縫目拡張装置であって、
前記縁かがり縫いされた衣類における二枚の生地部を前記縫目の長手方向に対して直交する方向の両側に展開した状態で前記縫目の位置を前記の直交する方向において位置決めする縫目位置決め部と、
前記の直交する方向で前記縫目位置決め部の両側に配設されて前記展開された二枚の生地部を保持する一対の生地保持部と、
前記縫目位置決め部による縫目の位置決め状態を保ったままで、前記一対の生地保持部に保持された前記二枚の生地部に前記縫目の長手方向に対して直交する方向の引張り力を付与することにより前記収縮状態の縫目をその長手方向の全長に亘り拡張する縫目拡張機構と、
を具備することを特徴とする衣類の縫目拡張装置。
【請求項２】
前記一対の生地保持部は、前記の直交する方向で前記縫目位置決め部の両側に配設されて前記二枚の生地部を保持して該二枚の生地部を前記縫目の長手方向に向けて強制移送する一対の生地部移送装置から構成されている
ことを特徴とする請求項１に記載の衣類の縫目拡張装置。
【請求項３】
前記一対の生地部移送装置は、それぞれ移送面を互いに対向させて配置された一組の移送装置から構成されている
ことを特徴とする請求項２に記載の衣類の縫目拡張装置。
【請求項４】
前記一組の移送装置は、それぞれ移送面を互いに対向させて配置された一組の無端ベルトから構成され、そのうち一方の無端ベルトがモータに連動連結されて駆動回転式に構成されているとともに、他方の無端ベルトは従動回転式に構成されている
ことを特徴とする請求項２または３に記載の衣類の縫目拡張装置。
【請求項５】
前記位置決め部は、前記衣類における前記二枚の生地部が前記一対の生地部移送装置により前記縫目の長手方向に向けて強制移送されるとき、前記縫目が該縫目の長手方向に沿って移動するようにガイドする縫目移動ガイドを有する
ことを特徴とする請求項２に記載の衣類の縫目拡張装置。
【請求項６】
前記縫目拡張機構は、前記衣類における前記縫目が前記縫目位置決め部により位置決めされた状態で前記二枚の生地部を前記一対の生地保持部に保持させて該二枚の生地部を前記の直交する方向に強制移動させることにより前記引張り力を付与するように構成されている
ことを特徴とする請求項１ないし５のいずれか１項に記載の衣類の縫目拡張装置。
【請求項７】
前記縁かがり縫いにより形成される縫目が、ＪＩＳの表記記号クラス５００に分類されるものである
ことを特徴とする請求項１ないし６のいずれか１項に記載の衣類の縫目拡張装置。
【請求項８】
重なり合った二枚の生地部の縁かがり縫いにより収縮状態の縫目が形成された衣類における前記二枚の生地部を前記縫目の長手方向に対して直交する方向の両側に展開したとき、その展開した二枚の生地部の端縁が突き合わせ縫い状態となるように前記収縮状態の縫目を拡張する衣類の縫目拡張装置であって、
前記縁かがり縫いされた衣類における二枚の生地部を前記縫目の長手方向に対して直交する方向の両側に展開した状態で前記二枚の生地部を挟み保持して前記縫目の長手方向に向けて強制移送する一対の生地部移送装置と、
前記一対の生地部移送装置間の中央又は略中央位置に配設されて前記衣類における縫目を位置決めするとともに、前記一対の生地部移送装置により前記二枚の生地部が強制移送されるとき、前記縫目がその長手方向に沿って移動するようにガイドする縫目位置決め移動ガイドと、
前記縫目位置決め移動ガイドに沿って前記縫目が位置決めされ、かつ、移動ガイドされる状態で前記衣類における二枚の生地部が前記一対の生地部移送装置により強制移送されるとき、前記二枚の生地部に前記縫目の長手方向に対して直交する方向の引張り力を付与することにより前記収縮状態の縫目をその長手方向の全長に亘り拡張する縫目拡張機構と、
を具備することを特徴とする衣類の縫目拡張装置。
【請求項９】
前記一対の生地部移送装置は、それぞれ移送面を互いに対向させて配置された一組の移送装置から構成されている
ことを特徴とする請求項８に記載の衣類の縫目拡張装置。
【請求項１０】
前記一組の移送装置は、それぞれ移送面を互いに対向させて配置された一組の無端ベルトから構成され、そのうち一方の無端ベルトがモータに連動連結されて駆動回転式に構成されているとともに、他方の無端ベルトは従動回転式に構成されている
ことを特徴とする請求項９に記載の衣類の縫目拡張装置。
【請求項１１】
前記縫目拡張機構は、前記一対の生地部移送装置による移送面に対して移送方向の上流側から下流側にかけて漸次離間するように傾斜したカム面を前記縫目位置移動ガイドに形成して構成されている
ことを特徴とする請求項８ないし１０のいずれか１項に記載の衣類の縫目拡張装置。
【請求項１２】
前記縫目位置決め移動ガイドに形成の傾斜カム面は、その傾斜角度が調節可能に構成されている
ことを特徴とする請求項１１に記載の衣類の縫目拡張装置。
【請求項１３】
前記縁かがり縫いにより形成される縫目が、ＪＩＳの表記記号クラス５００に分類されるものである
ことを特徴とする請求項８ないし１２のいずれか１項に記載の衣類の縫目拡張装置。
【発明の詳細な説明】
【技術分野】
【０００１】  本発明は、例えば、スポーツウェア、スパッツ、パンティストッキング、タイツ、ナイトウェアなどのように、重なり合った二枚の生地部の縁かがり縫いにより収縮状態の縫目が形成された衣類における前記二枚の生地部を前記縫目の長手方向に対して直交する方向の両側に展開したとき、その展開した二枚の生地部の端縁が突き合わせ縫い状態となるように前記収縮状態の縫目を拡張するための使用される衣類の縫目拡張装置に関する。
【背景技術】
【０００２】  対象衣類として、図１３に示すスポーツウェアＳＷを例にとって説明すると、該スポーツウェアＳＷは、オーバーロックミシンを用いて、図１３の矢印ａ，ｂ，ｃ，ｄ，ｅ，ｆで示す箇所に、ＪＩＳの表記記号クラス５００に分類される縫目Ｓが生地進行方向Ｙ（図１４参照）に沿って形成されるように縁かがり縫いを行うことにより作製される。ＪＩＳの表記記号クラス５００のうち、例えば、１本の針糸ＮＴと上下２本のルーパ糸ＵＬＴ、ＬＬＴとの計３本の糸で構成するＪＩＳ表記記号５０５に分類される縫目Ｓの構造は、図１４に示すとおりであり、縁かがり縫い時に上下に重なりあっていた上部の生地部ＵＷと下部の生地部ＬＷとを縫目の長手方向に直交する方向、例えば左右に展開することにより、該左右の生地部ＵＷ，ＬＷの端縁ＵＷｅ、ＬＷｅが図１５及び図１６に示すような突き合わせ縫い状態となる。【０００３】  上記のように、縁かがり縫い後に左右に展開される左右の生地部ＵＷ，ＬＷの端縁ＵＷｅ、ＬＷｅが突き合わせ縫い状態の縫目構造とすることにより、肌に接する衣類の裏面に縫目部分が突出することなく、生地部を平滑に縫い合わせて着用感を高めることが可能であるとともに、生地部の端縁を衣類の表面に露出させることなく、美観にも優れた衣類を得ることが可能である。【０００４】  ところで、対象衣類が前述のスポーツウェアやパンティストッキングなどのように弾力性、伸縮性に富む生地素材を用いたものでは、針糸及びルーパ糸としてウーリー糸のような高伸度の糸が使用されることが多いために、縁かがり縫いによって形成されるＪＩＳの表記記号クラス５０５に分類の縫目が生地部の弾力性、伸縮性及び針糸、ルーパ糸の高伸度性の影響を受けて強い収縮状態となっており、縁かがり縫いした生地部を縫目の左右に展開して左右の生地部の端縁が図１５及び図１６に示す突き合わせ縫い状態となるように縫目を拡張するためには前記強い収縮状態にある縫目をその収縮力に対抗するに足りる強い引張り力が必要となる。
【発明の概要】
【発明が解決しようとする課題】
【０００５】  従来では、上記のような強い収縮状態にある縫目をその長手方向の全長に亘って拡張する作業が全面的に人手に委ねられていた。そのため、縫目を拡張するために二枚の生地部を両手で強く掴んで縫目の長手方向に対して直交する両方向に強い引張り力を付与しなければならず、膨大な作業労力（人力）を要する。また、一つの衣類の複数個所に縫目が形成されている場合や、縫目の長さが非常に長いような場合、それら複数あるいは長い縫目の全てを拡張するために多大な作業手間及び長時間を要することとなる。その結果、所定の衣類の生産性低下を招きやすく、また、縫目をその全長に亘って見栄え良く拡張して着用感及び仕上りの良い衣類を得ることがむずかしいという問題があった。【０００６】  本発明は上述の実情に鑑みてなされたもので、縁かがり縫い後に、特別大きな作業労力を要することなく、また、最少限の手間、時間をかけるのみで、縫目をその全長に亘って確実かつ見栄え良く拡張することが可能で、着用感及び仕上りの良い衣類の生産性向上を達成することができる衣類の縫目拡張装置を提供することを目的としている。
【課題を解決するための手段】
【０００７】  上記目的を達成するために、本第１発明に係る衣類の縫目拡張装置は、重なり合った二枚の生地部の縁かがり縫いにより収縮状態の縫目が形成された衣類における前記二枚の生地部を前記縫目の長手方向に対して直交する方向の両側に展開したとき、その展開した二枚の生地部の端縁が突き合わせ縫い状態となるように前記収縮状態の縫目を拡張する衣類の縫目拡張装置であって、前記縁かがり縫いされた衣類における二枚の生地部を前記縫目の長手方向に対して直交する方向の両側に展開した状態で前記縫目の位置を前記の直交する方向において位置決めする縫目位置決め部と、前記の直交する方向で前記縫目位置決め部の両側に配設されて前記展開された二枚の生地部を保持する一対の生地保持部と、前記縫目位置決め部による縫目の位置決め状態を保ったままで、前記一対の生地保持部に保持された前記二枚の生地部に前記縫目の長手方向に対して直交する方向の引張り力を付与することにより前記収縮状態の縫目をその長手方向の全長に亘り拡張する縫目拡張機構と、を具備することを特徴とする。【０００８】  また、本第２発明に係る衣類の縫目拡張装置は、重なり合った二枚の生地部の縁かがり縫いにより収縮状態の縫目が形成された衣類における前記二枚の生地部を前記縫目の長手方向に対して直交する方向の両側に展開したとき、その展開した二枚の生地部の端縁が突き合わせ縫い状態となるように前記収縮状態の縫目を拡張する衣類の縫目拡張装置であって、前記縁かがり縫いされた衣類における二枚の生地部を前記縫目の長手方向に対して直交する方向の両側に展開した状態で前記二枚の生地部を挟み保持して前記縫目の長手方向に向けて強制移送する一対の生地部移送装置と、前記一対の生地部移送装置間の中央又は略中央位置に配設されて前記衣類における縫目を位置決めするとともに、前記一対の生地部移送装置により前記二枚の生地部が強制移送されるとき、前記縫目がその長手方向に沿って移動するようにガイドする縫目位置決め移動ガイドと、前記縫目位置決め移動ガイドに沿って前記縫目が位置決めされ、かつ、移動ガイドされる状態で前記衣類における二枚の生地部が前記一対の生地部移送装置により強制移送されるとき、前記二枚の生地部に前記縫目の長手方向に対して直交する方向の引張り力を付与することにより前記収縮状態の縫目をその長手方向の全長に亘り拡張する縫目拡張機構と、を具備することを特徴とする。
【発明の効果】
【０００９】  上記のごとき特徴を有する本第１発明に係る衣類の縫目拡張装置によれば、縁かがり縫いによって縫目が形成された二枚の生地部を縫目の長手方向に対して直交する方向の両側に展開した状態でその二枚の生地部の縫目の位置を縫目位置決め部で位置決めするとともに、展開した二枚の生地部を一対の生地保持部に保持させるようセットしたうえ、前記縫目位置決め部による縫目の位置決め状態を保ったままで、前記縫目拡張機構を動作させることにより、二枚の生地部に縫目の長手方向に対して直交する方向の引張り力が付与されて前記縫目を機械的、自動的に拡張することが可能である。したがって、縁かがり縫い後の二枚の生地部を展開してセットするといった最少限の手間と時間をかけるのみで、また、二枚の生地部を両手で強く掴んで縫目の長手方向に対して直交する両方向に強い引張り人力をかけるといった作業労力も要することなく、縫目をその全長に亘って確実、迅速に拡張して、生地部が着用感の高い平滑な裏面と美観に優れた表面とを有する衣類を得ることができる。特に、スポーツウェアやパンティストッキングなどのように弾力性、伸縮性に富む生地素材を用い、針糸及びルーパ糸としてウーリー糸のような高伸度の糸を使用して作製される関係から縫目が強い収縮状態となる衣類であっても、その縫目を確実、迅速かつ見栄え良く拡張して仕上りの良い衣類を生産することができるといった効果を奏する。【００１０】  また、本第２発明に係る衣類の縫目拡張装置によれば、縁かがり縫いによって縫目が形成された二枚の生地部を縫目の長手方向に対して直交する方向の両側に展開した状態でその二枚の生地部を一対の生地部移送装置に挟み保持させ、かつ、前記縫目が縫目位置決め移動ガイドに位置決めされるようにセットしたうえ、前記一対の生地部移送装置を駆動させることにより、当該一対の生地部移送装置による二枚の生地部の強制移送に伴い、前記縫目拡張機構の働きによって二枚の生地部に縫目の長手方向に対して直交する方向の引張り力が付与されて前記縫目を機械的、自動的かつ連続的に拡張することが可能である。したがって、本第１発明と同様に、縁かがり縫い後の二枚の生地部を展開してセットするといった最少限の手間と時間をかけるのみで、また、二枚の生地部を両手で強く掴んで縫目の長手方向に対して直交する両方向に強い引張り人力をかけるといった作業労力も要することなく、縫目をその全長に亘って確実、迅速に拡張して、生地部が着用感の高い平滑な裏面と美観に優れた表面とを有する衣類を得ることができる。特に、スポーツウェアやパンティストッキングなどのように弾力性、伸縮性に富む生地素材を用い、針糸及びルーパ糸としてウーリー糸のような高伸度の糸を使用して作製される関係から縫目が強い収縮状態となる衣類であっても、衣類を形成する二枚を生地部を縫目の長手方向に均等に強制移送しながら、その縫目を確実、迅速かつ見栄え良く拡張して仕上りの良い衣類の生産性向上を達成することができるといった効果を奏する。【００１１】  本第１発明に係る衣類の縫目拡張装置において、前記一対の生地保持部は、前記の直交する方向で前記縫目位置決め部の両側に配設されて前記二枚の生地部を保持して該二枚の生地部を前記縫目の長手方向に向けて強制移送する一対の生地部移送装置から構成されていることが好ましい。
この場合は、縫目の長手方向に対して直交する方向の両側に展開した二枚の生地部を一対の生地部移送装置に挟み保持させて縫目の長手方向に向けて均等かつ連続的に強制移送することが可能で、二枚の生地部が捩れたり、蛇行したりすることがなく、縫目をその全長にわたって仕上がり良く、また、能率よく拡張することができる。【００１２】  また、本第１発明に係る衣類の縫目拡張装置において、前記位置決め部は、前記衣類における前記二枚の生地部が前記一対の生地部移送装置により前記縫目の長手方向に向けて移動されるとき、前記縫目が該縫目の長手方向に沿って移動するようにガイドする縫目移動ガイドを有することが好ましい。
この場合は、二枚の生地部間の縫目を位置決め部で位置決めした状態で生地を縫目の長手方向に向けて移送させた際に、縫目移動ガイドが縫目の長手方向に向けての移動をガイドしてくれるので、縫目拡張装置からの生地部、つまり、衣類の取り出しを容易かつスムーズに行うことができる。【００１３】  また、本第１発明に係る衣類の縫目拡張装置において、前記縫目拡張機構は、前記衣類における前記縫目が前記縫目位置決め部により位置決めされた状態で前記一対の生地保持部により保持された二枚の生地部を、前記の直交する方向に強制移動させることにより前記引張り力を付与するように構成されているものであってもよい。
この場合は、例えば幼児用衣類のように縫目の長手方向の長さが短い縫目を拡張する際に好適に用いることが可能で、拡張機構は一対の生地保持部を前記直交する方向に強制移動させるだけの非常に単純なものでよく、縫目拡張機構を構造的に簡単かつ低コストに構成することができる。【００１４】  また、本第１発明及び本第２発明に係る衣類の縫目拡張装置において、前記一対の生地部移送装置が、それぞれ移送面を互いに対向させて配置された一組の移送装置から構成されていることが好ましい。
この場合は、縁かがり縫い後、縫目の両側に展開された二枚の生地部がそれぞれ一組の移送装置の対向する移送面間に挟み保持されて移送されることになるため、二枚の生地部を確実かつ均等に所定方向に強制移送することが可能となり、一層仕上りのよい衣類を得ることができる。【００１５】  また、本第１発明及び本第２発明に係る衣類の縫目拡張装置において、前記一組の生地部強制移送装置は、それぞれ移送面を互いに対向させて配置された一組の無端ベルトから構成され、そのうち一方の無端ベルトが駆動モータに連動連結されて駆動回転式に構成されているとともに、他方の無端ベルトは従動回転式に構成されていることが好ましい。
この場合は、縁かがり縫い後、縫目の両側左右に展開された二枚の生地部が対向配置された一対の無端ベルト間に挟まれた状態で、一方の無端ベルトの駆動回転に伴い他方の無端ベルトを従動回転させながら強制移送されることになるため、二枚の生地部には殆ど移送抵抗がかからず、これら二枚の生地部をスムーズに強制移送させて所定の縫目拡張機能を確実かつ円滑に発揮させることが可能である。【００１６】  また、本第２発明に係る衣類の縫目拡張装置において、前記縫目拡張機構は、前記一対の生地部移送装置による移送面に対して移送方向の上流側から下流側にかけて漸次離間するように傾斜したカム面を前記縫目位置決め移動ガイドに形成して構成されているものであってもよい。
この場合は、縁かがり縫い後、縫目の両側に展開された一対の生地部が、前記一対の生地部移送装置によって強制移送される際、その移送方向の下流側にいくに従って次第に引張り力を漸増させることが可能であるため、特に、強力な収縮状態にある縫目に対しても生地部に無理な力をかけることなく、縫目を確実、スムーズに拡張することができる。【００１７】  特に、前記縫目位置決め移動ガイドに形成の傾斜カム面は、その傾斜角度が調節可能に構成されていることが望ましい。
この場合は、生地素材の弾力性、伸縮性及び使用する糸の伸度によって異なる縫目の収縮状態に応じて前記傾斜カム面の傾斜角度を調節することにより、いかなる収縮状態の縫目を対象とする場合でも、該縫目をその全長に亘って確実かつ安定的に拡張することができる。【００１８】  更に、本第１発明及び本第２発明に係る衣類の縫目拡張装置において、前記縁かがり縫いにより形成される縫目が、ＪＩＳの表記記号クラス５００に分類されるものであることが好ましい。
この場合は、縁かがり縫いにより形成される縫目がＪＩＳの表記記号クラス５００に分類されるものであって、例えば、ＪＩＳ表記記号５０５のような針糸の張力が低い（又は緩い）状態の縫目であるならば、上記の縫目拡張を一層確実かつ安定的に行うことができる。
【図面の簡単な説明】
【００１９】
【図１】本発明の第一実施の形態に係る衣類の縫目拡張装置全体の斜視図である。
【図２】同上衣類の縫目拡張装置全体の左側面図である。
【図３】同上衣類の縫目拡張装置の要部の左側面図である。
【図４】同上衣類の縫目拡張装置の要部の拡大斜視図である。
【図５】同上衣類の縫目拡張装置の要部で一部を省略した拡大斜視図である。
【図６】同上衣類の縫目拡張装置による縫目拡張動作状態を説明する要部の拡大平面図である。
【図７】本発明の第二実施の形態に係る衣類の縫目拡張装置による縫目拡張動作状態を説明する要部の拡大平面図である。
【図８】本発明の第三実施の形態に係る衣類の縫目拡張装置による縫目拡張動作状態を説明する要部の拡大平面図である。
【図９】本発明の第四実施の形態に係る衣類の縫目拡張装置による縫目拡張動作状態を説明する要部の拡大平面図である。
【図１０】本発明の第五実施の形態に係る衣類の縫目拡張装置の要部の斜視図である。
【図１１】本発明の第五実施の形態に係る衣類の縫目拡張装置による縫目拡張動作状態を説明する要部の拡大平面図である。
【図１２】本発明の第六実施の形態に係る衣類の縫目拡張装置であって、（ａ），（ｂ），（ｃ）は縫目拡張動作状態を説明する要部の側面図である。
【図１３】縁かがり縫いによってＪＩＳの表記記号クラス５００に分類される縫目が形成される衣類の一例としてのスポーツウェアの斜視図である。
【図１４】ＪＩＳ表記記号５０５に分類される縫目の構造を示す要部の拡大斜視図である。
【図１５】縁かがり縫いした生地部を縫目の左右に展開したときの縫目の構造を生地表面側から見た要部の拡大平面図である。
【図１６】同上縁かがり縫いした生地部を縫目の左右に展開したときの縫目の構造を生地裏面側から見た要部の拡大平面図である。
【発明を実施するための最良の形態】
【００２０】  以下、本発明の実施の形態を図面にもとづいて説明する。
図１は本発明の第一実施の形態に係る衣類の縫目拡張装置全体の斜視図、図２は同上衣類の縫目拡張装置全体の左側面図、図３は同上衣類の縫目拡張装置の要部の左側面図、図４は同上衣類の縫目拡張装置の要部の拡大斜視図、図５は同上衣類の縫目拡張装置の要部で一部を省略した拡大斜視図である。【００２１】  上記衣類の縫目拡張装置Ｍは、水平基台１上に略垂直姿勢に固定設置された側面視が逆コの字形状の枠フレーム２と、該枠フレーム２の下側水平フレーム部２Ｌの前端部付近に固定の支持台８の上部に配設されて、オーバーロックミシンを用いてＪＩＳの表記記号クラス５０５に分類される縫目Ｓ（図１４参照）が形成されるよう縁かがり縫いされた後の衣類における前記縫目Ｓの縫目長手方向に対して直交する方向の両側、つまり、水平面でいう左右両側に展開される左右二枚の生地部ＵＷ、ＬＷを上下から保持して、前記縫目Ｓの長手方向に向けて矢印Ｙ方向に強制移送する左右一対の生地部強制移送装置３Ｌ，３Ｒと、これら左右一対の生地部強制移送装置３Ｌ，３Ｒ間の中央又は略中央位置に配置されて、左右の生地部ＵＷ、ＬＷの縫目Ｓを位置決めして、移送される衣類における前記縫目Ｓが該縫目Ｓの長手方向に沿って移動するようにガイドする縫目移動ガイド４と、前記衣類が前記左右一対の生地部強制移送装置３Ｌ，３Ｒにより強制移送されるとき、前記縫目Ｓをその長手方向に沿って順次拡張する縫目拡張機構５と、を備えている。【００２２】  前記左右一対の生地部強制移送装置３Ｌ，３Ｒは、図２〜図５に明示されているように、それぞれ移送面を上下に対向して配置された上下一対を一組とする移送装置としての上下一対の無端ベルト３ＬＵ，３ＬＬ、３ＲＵ，３ＲＬから構成されている。第一実施の形態では、上下一対の無端ベルト３ＬＵ，３ＬＬ、３ＲＵ，３ＲＬから構成される生地部強制移送装置３Ｌ，３Ｒが、左右二枚の生地部ＵＷ、ＬＷを保持する左右一対の生地保持部であり、図６に示すように、左右一対の生地部強制移送装置３Ｌ，３Ｒは、左右二枚の生地部ＵＷ、ＬＷの縫目Ｓの長手方向、即ち、後に詳述する当該縫目Ｓの位置決めをするための位置決め部となる縫目移動ガイド４に対して左右対称又は略左右対称位置に配置されている。前記左右一対の生地部強制移送装置３Ｌ，３Ｒのいずれも上部の無端ベルト３ＬＵ，３ＲＵは、前記枠フレーム２の中間垂直フレーム部２Ｍに固定支持された駆動モータ６に中継用伝動ベルト７を介して連動連結されて駆動回転式に構成されている一方、下部の無端ベルト３ＬＬ，３ＲＬは、非駆動で上部の無端ベルト３ＬＵ，３ＲＵとの間に生地部を挟んで移送するときに移送面が同一方向へ向けて移動するような従動回転式に構成されている。
尚、左右の生地部ＵＷ、ＬＷを保持するとは、挟む、或いは押えるなどして左右の生地部ＵＷ、ＬＷを保持することを意味する。【００２３】  また、前記左右一対の生地部強制移送装置３Ｌ，３Ｒのうち上部の無端ベルト３ＬＵ，３ＲＵは、図１〜図３に明示されているように、前記枠フレーム２の上側水平フレーム部２Ｕの前端部に固定の上下スライドレール９に沿って上下に昇降可能に支持された昇降部材１０の下部に装着されており、該昇降部材１０がシリンダ１１を介してスライドレール９に沿って駆動昇降されることにより、図２に示すように、前記上部の無端ベルト３ＬＵ，３ＲＵの各移送面を下部の無端ベルト３ＬＬ，３ＲＬの各移送面に接近させて衣類の左右二枚の生地部を挟んで強制移送する状態と、図３に示すように、前記（矢印Ｘ方向）に抜き出し可能とする状態と、に切替可能に構成されている。【００２４】  前記縫目移動ガイド４は、図４及び図５に明示されているように、二枚の板状部材４ａ，４ａを左右に間隔を隔てて互いに平行に配置することで、該二枚の板状部材４ａ，４ａ間に前記衣類における縫目Ｓを落とし込み保持して縫目Ｓの移動をガイドする縫目移動ガイド溝部４ｂが形成されている。この縫目移動ガイド４は、前記二枚の板状部材４ａ，４ａの略水平下辺部を前記固定の支持台８の上面に固定することにより、前記左右一対の生地部強制移送装置３Ｌ及び３Ｒ間の中央又は略中央位置に配置されている。該縫目移動ガイド４における縫目移動ガイド溝部４ｂは、縫目Ｓを落とし込み保持させることにより、縫目Ｓの位置決めを行う縫目位置決め部を構成している。【００２５】  また、前記縫目移動ガイド４には、図３及び図５に最も明瞭に示されているように、前記二枚の板状部材４ａ，４ａの上辺部それぞれに前記左右一対の生地部強制移送装置３Ｌ，３Ｒによる略水平な移送面に対して前記移送方向Ｙの上流側から下流側にかけて漸次上方に離れるように、つまり、前記移送方向Ｙの下流側ほど漸次高くなるように傾斜したカム面５ａ，５ａが形成されている。このカム面５ａ，５ａは、衣類が保持された保持面に対して当該保持面と離間した位置に形成されているので、カム面５ａ，５ａと保持面のそれぞれの面の高さ位置が異なっている。尚、カム面５ａ，５ａとは、曲面または傾斜面、或いはその両方からなる面を意味するものとする。この縫目移動ガイド４におけるカム面５ａ，５ａが、前記衣類を前記左右一対の生地部強制移送装置３Ｌ，３Ｒにより強制移送するとき、カム面５ａ，５ａと生地部強制移送装置３Ｌ，３Ｒにより保持された前記衣類の保持面との面間隔が前記移送方向Ｙの下流側ほど漸次離間することによって、左右二枚の生地部に縫目Ｓの長手方向に対して直交する方向の引張り力を付与して前記縫目Ｓをその長手方向に沿って順次拡張する縫目拡張機構５を構成している。【００２６】  また、該縫目拡張機構５を構成するカム面５ａ，５ａの最大高さを調節可能とするために前記縫目移動ガイド４は、その略水平下辺部の前記固定の支持台８への固定位置を上下に変更可能に構成されている。これは、生地素材の弾力性、伸縮性及び使用する糸の伸度によって異なる縫目Ｓの収縮状態に応じてカム面５ａ，５ａの最大高さを調節することによ���、いかなる収縮状態の縫目Ｓを対象とする場合でも、該縫目Ｓをその全長に亘って確実かつ安定的に拡張することができるように工夫されたものである。
なお、いかなる収縮状態の縫目Ｓを対象とする場合でも、該縫目Ｓをその全長に亘って確実かつ安定的に拡張することができるようにするための手段として、前記カム面５ａ，５ａの傾斜角度を調節可能に構成してもよい。【００２７】  次に、上記のように構成された第一実施の形態に係る衣類の縫目拡張装置Ｍを用いて、オーバーロックミシンを用いた縁かがり縫いによってＪＩＳの表記記号クラス５０５に分類される図１４に示すような収縮状態の縫目Ｓが形成された衣類、例えば、図１３に示すスポーツウェアＳＷにおける各縫目Ｓを拡張する動作について説明する。【００２８】  まず、ＪＩＳの表記記号クラス５０５に分類される縫目Ｓが形成されたスポーツウェアＳＷの生地部で、縫目形成時には上下に重ね合わせられていた上下二枚の生地部ＵＷとＬＷとを縫目Ｓの左右両側に展開した上、前記縫目Ｓを前記縫目移動ガイド４における縫目移動ガイド溝部４ｂに落とし込み保持させて位置決めするとともに、左右両側に展開した生地部ＵＷ，ＬＷの先端部が前記左右一対の生地部強制移送装置３Ｌ，３Ｒにおける上下一対の無端ベルト３ＬＵ，３ＬＬ、３ＲＵ，３ＲＬの対向移送面間に挟み保持されるようにセットする。【００２９】  この状態で、前記左右一対の生地部強制移送装置３Ｌ，３Ｒの駆動を開始することによって、図６に示すように、前記縫目Ｓが縫目移動ガイド４の縫目移動ガイド溝部４ｂに沿って移動ガイドされる状態で、前記左右の生地部ＵＷ，ＬＷが左右一対の生地部強制移送装置３Ｌ，３Ｒにより矢印Ｙ方向に強制移送される。【００３０】  そして、左右の生地部ＵＷ、ＬＷの強制移送に伴い、該左右の生地部ＵＷ、ＬＷで前記縫目Ｓの左右両脇に位置する生地部分が、前記移送方向Ｙの下流側に至るほど漸次高くなるように傾斜したカム面５ａ，５ａ（縫目拡張機構５）に乗り上げるように移動することによって、左右二枚の生地部ＵＷ，ＬＷには縫目Ｓの長手方向に対して直交する方向の引張り力ｆ，ｆが付与される。この引張り力ｆ，ｆは移送方向Ｙの下流側ほど大きくなり、これによって、前記縫目Ｓが自動的かつ連続的に順次拡張されて前記左右一対の生地部強制移送装置３Ｌ，３Ｒを通過後には、左右二枚の生地部ＵＷ，ＬＷの端縁ＵＷｅ、ＬＷｅが図１５及び図１６に示すような突き合わせ縫い状態となり、着用感の高い平滑な裏面と美観に優れた表面とを有するスポーツウェアＳＷに仕上げることが可能となる。【００３１】  上記のように、第一実施の形態に係る衣類の縫目拡張装置Ｍは、縁かがり縫い後の生地部を縫目Ｓの長手方向に対して直交する左右両側に展開してセットするといった最少限の手間と時間をかけるのみで、また、人力にて強い引張り力をかけるといった作業労力も要することなく、縫目Ｓをその全長に亘って確実、迅速に拡張して、生地部が着用感の高い平滑な裏面と美観に優れた表面とを有する衣類を得ることができる。特に、スポーツウェアＳＷやパンティストッキングなどのように弾力性、伸縮性に富む生地素材を用い、針糸及びルーパ糸としてウーリー糸のような高伸度の糸を使用して作製されることが多い関係から縫目Ｓが強い収縮状態となる衣類であっても、その縫目Ｓを自動的に確実、迅速かつ均一に拡張することができる。【０��３２】  また、第一実施の形態のように、前記左右一対の生地部強制移送装置３Ｌ，３Ｒが、それぞれ移送面を上下に対向して配置された上下一対の移送装置としての上下一対の無端ベルト３ＬＵ，３ＬＬ、３ＲＵ，３ＲＬから構成されている場合は、縁かがり縫い後、左右両側に展開された二枚の生地部ＵＷ，ＬＷがそれぞれ上下一対の無端ベルト３ＬＵ，３ＬＬ、３ＲＵ，３ＲＬの上下対向移送面間に挟まれて強制移送されることになるため、左右二枚の生地部ＵＷ，ＬＷを確実かつ均等に所定方向に強制移送することが可能で、縫目Ｓを左右に均一に拡張し、一層仕上りのよい衣類を得ることができる。【００３３】  また、第一実施の形態に示すように、縫目拡張機構５として、縫目移動ガイド４に左右一対の生地部強制移送装置３Ｌ，３Ｒによる移送面に対して移送方向の上流側から下流側にかけて漸次上方に離れるように、つまり、移送方向Ｙの下流側ほど漸次高くなるように傾斜したカム面５ａ，５ａを形成して構成する場合は、左右一対の生地部強制移送装置３Ｌ，３Ｒ間の中央又は略中央位置に固定的に配置される縫目移動ガイド４に傾斜カム面を形成するだけで、縫目拡張機能を発揮させることが可能であり、縫目拡張機構５を構造的に非常に簡単かつ低コストに構成することができる。【００３４】  更に、第一実施の形態に示すように、前記左右一対の生地部強制移送装置３Ｌ，３Ｒを構成する上下一対の無端ベルト３ＬＵ，３ＬＬ、３ＲＵ，３ＲＬのうち、上部の無端ベルト３ＬＵ，３ＲＵを、駆動モータ６に連動連結させて駆動回転式に構成する一方、下部の無端ベルト３ＬＬ，３ＲＬは、非駆動で上部の無端ベルト３ＬＵ，３ＲＵとの間に生地部を挟んで移送するときに移送面が同一方向へ向けて移動するような従動回転式に構成する場合は、縁かがり縫い後、左右両側に展開された二枚の生地部ＵＷ，ＬＷが対向配置された一対の無端ベルト間に挟まれた状態で、上部の無端ベルト３ＬＵ，３ＲＵの駆動回転に伴い下部の無端ベルト３ＬＬ，３ＲＬを従動回転させながら強制移送されることになるため、左右の生地部ＵＷ，ＬＷには殆ど移送抵抗がかからず、強制移送に伴う所定の縫目拡張機能を確実かつ円滑に発揮させることが可能である。【００３５】  次に、本発明の第二実施の形態に係る衣類の縫目拡張装置について説明する。
第二実施の形態に係る衣類の縫目拡張装置は、図７に示すように、前記縫目移動ガイド４は移送方向Ｙに沿って直線的な形状とする一方、左右一対の生地部強制移送装置３Ｌ，３Ｒの強制移送経路を移送方向Ｙの下流部側ほど前記縫目移動ガイド４に対して漸次離間するように平面視において略逆ハの字形状に、すなわち、左右一対の生地部強制移送装置３Ｌ，３Ｒの左右一端部間３ＬＡ，３ＬＡの距離Ｄ１と、左右一対の生地部強制移送装置３Ｌ，３Ｒの左右他端部間３ＬＢ，３ＬＢの距離Ｄ２が、Ｄ１＜Ｄ２となるように形成している。この場合は、Ｄ１＜Ｄ２の関係に設定された左右一対の生地部強制移送装置３Ｌ，３Ｒが左右二枚の生地部ＵＷ、ＬＷを保持する左右一対の生地保持部を構成するとともに、前記縫目拡張機構５も兼ねて構成する。その他の構成は、第一実施の形態と同一であるため、詳細な説明は省略する。【００３６】  この第二実施の形態の場合も上記第一実施の形態と同様に、縁かがり縫い後、左右に展開された左右二枚の生地部ＵＷ，ＬＷが左右一対の生地部強制移送装置３Ｌ，３Ｒによって強制移送される際、その移送方向の下流部側にいくに従って縫目Ｓの長手方向に対して直交する方向の引張り力ｆ，ｆを漸増させることが可能であるため、特に、強力な収縮状態にある縫目Ｓに対しても生地部ＵＷ、ＬＷに無理な力をかけることなく、縫目Ｓを確実、スムーズに拡張することができる。この第二実施の形態の場合の縫目Ｓの拡張幅は、Ｄ２−Ｄ１である。【００３７】  次に、第三実施の形態に係る衣類の縫目拡張装置について説明する。
第三実施形態に係る衣類の縫目拡張装置は、図８に示すように、前記左右一対の生地部強制移送装置３Ｌ，３Ｒを、移送方向Ｙにおいて前後二つの移送装置Ｆ３Ｌ，Ｆ３ＲとＲ３Ｌ，Ｒ３Ｒとに分割する。そのうち、前部の分割移送装置Ｆ３Ｌ，Ｆ３Ｒは前記縫目移動ガイド４と共に移送方向Ｙに沿って直線的な形状として互いに平行に配置する一方、後部の分割移送装置Ｒ３Ｌ，Ｒ３Ｒは、その移送経路が移送方向Ｙの下流部側ほど前記縫目移動ガイド４に対して漸次離間するように平面視において略逆ハの字形状に、すなわち、左右一対の生地部強制移送装置Ｒ３Ｌ，Ｒ３Ｒの左右一端部間Ｒ３ＬＡ，Ｒ３ＬＡの距離Ｄ１と、左右一対の生地部強制移送装置Ｒ３Ｌ，Ｒ３Ｒの左右他端部間Ｒ３ＬＢ，Ｒ３ＬＢの距離Ｄ２が、Ｄ１＜Ｄ２となるように形成されている。この場合は、前後二つの移送装置Ｆ３Ｌ、Ｆ３ＲとＲ３Ｌ，Ｒ３Ｒが左右二枚の生地部ＵＷ、ＬＷを保持する左右一対の生地保持部を構成するとともに、Ｄ１＜Ｄ２の関係に設定された後部の分割移送装置Ｒ３Ｌ，Ｒ３Ｒが前記縫目拡張機構５を構成する。その他の構成は、第一実施の形態と同一であるため、詳細な説明は省略する。【００３８】  この第三実施の形態の場合も上記第一及び第二実施の形態と同様に、左右二枚の生地部ＵＷ，ＬＷが左右一対の生地部強制移送装置３Ｌ，３Ｒのうち、後部の分割移送装置Ｒ３Ｌ，Ｒ３Ｒによって強制移送される際、その移送方向の下流部側にいくに従って縫目Ｓの長手方向に対して直交する方向の引張り力ｆ，ｆを漸増させることが可能で、強力な収縮状態にある縫目Ｓに対しても生地部に無理な力をかけることなく、縫目を確実、スムーズに拡張することができる。この第三実施の形態の場合の縫目Ｓの拡張幅は、Ｄ２−Ｄ１である。【００３９】  次に、第四実施の形態に係る衣類の縫目拡張装置について説明する。
第四実施形態に係る衣類の縫目拡張装置は、図９に示すように、前記第二実施の形態と同様に、左右一対の生地部強制移送装置３Ｌ，３Ｒの強制移送経路を移送方向Ｙの下流部側ほど前記縫目移動ガイド４に対して漸次離間するように平面視において略逆ハの字形状に、すなわち、左右一対の生地部強制移送装置３Ｌ，３Ｒの左右一端部間３ＬＡ，３ＬＡの距離Ｄ１と、左右一対の生地部強制移送装置３Ｌ，３Ｒの左右他端部間３ＬＢ，３ＬＢの距離Ｄ２が、Ｄ１＜Ｄ２となるように形成している一方、縫目移動ガイド４は、移送方向Ｙに沿って直線状に長く備えられてなく、左右二枚の生地部ＵＷ，ＬＷの縫目Ｓの位置決めを行うために移送方向Ｙで短い縫目位置決め部分のみが備えられている。この場合は、Ｄ１＜Ｄ２の関係に設定された左右一対の生地部強制移送装置３Ｌ，３Ｒが左右二枚の生地部ＵＷ、ＬＷを保持する左右一対の生地保持部を構成するとともに、前記縫目拡張機構５も兼ねて構成している。その他の構成は、第一実施の形態と同一であり、縫目拡張動作は、第二実施の形態の場合とほぼ同様であるため、それらの詳細な説明は省略する。【００４０】  次に、第五実施の形態に係る衣類の縫目拡張装置について説明する。
第五実施の形態に係る衣類の縫目拡張装置は、図１０及び図１１に示すように、左右二枚の生地部ＵＷ、ＬＷを保持する左右一対の生地保持部として上下一対の無端ベルト３Ｌ１Ｕ，３Ｌ１Ｌ、３Ｒ１Ｕ，３Ｒ１Ｌから成る生地部移送装置３Ｌ１，３Ｒ１が非駆動回転式に構成されている一方、これら左右一対の非駆動回転式生地部移送装置３Ｌ１，３Ｒ１の横外側位置それぞれに、駆動モータ６Ｌ，６Ｒに連動連結されて左右二枚の生地部ＵＷ、ＬＷを縫目Ｓの長手方向に向けて矢印Ｙ方向に強制移送するための左右一対の生地部強制移送装置３Ｌ２、３Ｒ２が設けられている。その他の構成は、第一実施の形態と同一であるため、詳細な説明は省略する。【００４１】  この第五実施の形態の場合は上記第一実施の形態と同様に、縁かがり縫い後、左右に展開された左右二枚の生地部ＵＷ，ＬＷが左右一対の生地部移送装置３Ｌ１，３Ｒ１に保持された状態で生地部強制移送装置３Ｌ２，３Ｒ２によって強制移送される際、該左右二枚の生地部ＵＷ、ＬＷで前記縫目Ｓの左右両脇に位置する生地部分が、前記移送方向Ｙの下流側に至るほど漸次高くなるように傾斜したカム面５ａ，５ａ（縫目拡張機構５）に乗り上げるように移動することに伴い、左右二枚の生地部ＵＷ，ＬＷに縫目Ｓの長手方向に対して直交する方向の引張り力ｆ，ｆを付与させることが可能であるため、特に、強力な収縮状態にある縫目Ｓに対しても生地部に無理な力をかけることなく、縫目Ｓを確実、スムーズに拡張することができる。【００４２】  特に、上記第五実施の形態に係る衣類の縫目拡張装置は、左右二枚の生地部ＵＷ，ＬＷを保持する左右一対の非駆動回転式生地部移送装置３Ｌ１，３Ｒ１の横外側位置に左右二枚の生地部ＵＷ、ＬＷを縫目Ｓの長手方向に向けて矢印Ｙ方向に強制移送するための左右一対の生地部強制移送装置３Ｌ２、３Ｒ２を配置した構成であるため、左右二枚の生地部ＵＷ，ＬＷが広幅の場合にこれら広幅の生地部ＵＷ，ＬＷを安定よく移送することが可能であるため、所期の縫目拡張機能を確実に発揮させることができる。【００４３】  次に、第六実施の形態に係る衣類の縫目拡張装置について説明する。
第六実施の形態に係る衣類の縫目拡張装置は、図１２に示すように、生地載置台２０上に左右二枚の生地部ＵＷ，ＬＷを縫目Ｓの長手方向に対して直交する方向の両側に展開した状態で前記縫目Ｓを落とし込み保持して該縫目Ｓの位置を位置決めする縫目位置決め部４としての溝部４ｂが形成されているとともに、前記生地載置台２０の上部には、一対の生地保持部を兼用するリンク形式の縫目拡張機構５が図示省略のシリンダを介して駆動昇降自在に設けられている。【００４４】  前記リンク式の縫目拡張機構５は、Ｘ型に配置された二本の可動リンク１５Ａ，１５Ｂとこれら二本の可動リンク１５Ａ，１５Ｂをそれらの下端部同士が互いに接離するように揺動させる動作指示リンク１５Ｃと前記二本の可動リンク１５Ａ，１５Ｂの下端部にそれぞれ枢支連結された一対の生地押え部材１５Ｕ，１５Ｌとから構成されている。【００４５】  この第六実施の形態に係る衣類の縫目拡張装置の場合は、図１２の（ａ）に示すように、前記縫目拡張機構５を生地載置台２０の上方に上昇させた状態で、縁かがり縫い後の左右二枚の生地部ＵＷ，ＬＷを左右両側に展開して縫目Ｓを縫目位置決め部４の溝４ｂ内に落し込み保持させる。次いで、図１２の（ｂ）に示すように、前記縫目拡張機構５を下降させて一対の生地押え部材１５Ｕ，１５Ｌにより左右二枚の生地部ＵＷ，ＬＷを生地載置台２０の上面に押し付けて左右二枚の生地部ＵＷ，ＬＷを固定保持する。この状態で、図１２の（ｃ）に示すように、動作指示リンク１５Ｃを介して二本の可動リンク１５Ａ，１５Ｂを互いに離間する方向に揺動させることにより、左右二枚の生地部ＵＷ，ＬＷに縫目Ｓの長手方向に対して直交する方向の引張り力ｆ，ｆを付与させることが可能であるため、強力な収縮状態にある縫目Ｓに対しても生地部ＵＷ，ＬＷに無理な力をかけることなく、縫目Ｓを確実、スムーズに拡張することができる。【００４６】  また、この第六実施の形態に係る衣類の縫目拡張装置は、一回の拡張動作によって拡張される縫目長手方向の単位拡張幅が前記一対の生地押え部材１５Ｕ，１５Ｌの縫目長手方向の幅寸法に制約されて一定であるため、例えば幼児用衣類のように縫目の長手方向の長さが前記一対の生地押え部材１５Ｕ，１５Ｌの縫目長手方向の幅寸法より短い縫目を拡張する際に好適に用いることが可能である。一方、前記一対の生地押え部材１５Ｕ，１５Ｌの縫目長手方向の幅寸法よりも長い縫目Ｓを対象とする場合は、左右二枚の生地部ＵＷ，ＬＷを縫目長手方向に沿って前記単位拡張幅に相当する単位長さ毎に順送りしながら、上記の縫目拡張動作を繰り返すことによって長い縫目Ｓであっても拡張することが可能である。【００４７】  次に、上記第一乃至第六実施の形態に係る衣類の縫目拡張装置以外の他の実施の形態に係る衣類の縫目拡張装置について、図示は省略するが、簡単に説明する。
その一つは、第六実施の形態の場合とほぼ同様に、縁かがり縫い後の左右二枚の生地部ＵＷ，ＬＷを左右両側に展開して縫目Ｓを縫目位置決め部４の溝４ｂ内に落し込み保持させるとともに、左右二枚の生地部ＵＷ，ＬＷを生地載置台２０の上面に押圧し固定する。この状態で、溝４ｂの上方から該溝４ｂ内の縫目Ｓに向けて棒状部材を強制下降移動させることにより、縫目Ｓを更に溝４ｂ内の下方深くに押し込んで左右二枚の生地部ＵＷ，ＬＷに縫目Ｓの長手方向に対して直交する方向の引張り力ｆ，ｆを付与させ、これによって、強力な収縮状態にある縫目Ｓを確実、スムーズに拡張するように構成してもよい。【００４８】  また、上記した各実施の形態では、前記左右一対の生地部強制移送装置３Ｌ，３Ｒによる生地部の移送経路が水平又は略水平に形成されたものについて説明したが、生地部の移送経路が鉛直又は略鉛直に形成されたものであっても、また、上下方向に傾斜した状態に形成されたものであってもよい。【００４９】  さらに、上記した第一乃至第五実施の形態では、縫目拡張機構５が、縫目移動ガイド４の上辺部に移送方向Ｙの下流側ほど漸次高くなるように傾斜させて形成したカム面５ａ，５ａから構成されたものや、左右一対の生地部強制移送装置３Ｌ，３Ｒの強制移送経路を移送方向Ｙの下流部側ほど前記縫目移動ガイド４に対して漸次離間するように平面視において略逆ハの字形状に形成して構成されたものについて説明したが、これ以外に、左右の生地部ＵＷ、ＬＷが左右一対の生地部強制移送装置３Ｌ，３Ｒにより強制移送されるとき、それら左右の生地部ＵＷ、ＬＷに縫目Ｓの長手方向に対して直交する方向の引張り力を付与することが可能な構成、例えば、多連式ローラ等を使用した縫目拡張機構を採用してもよい。
【符号の説明】
【００５０】３Ｌ，３Ｒ  一対の生地部強制移送装置（一対の生地保持部）
３ＬＵ，３ＲＵ  上部の無端ベルト
３ＬＬ，３ＲＬ  下部の無端ベルト
４  縫目位置決め移動ガイド
４ｂ  溝部（縫目位置決め部）
５ａ，５ａ  傾斜カム面（縫目拡張機構）
６  駆動モータ
Ｍ  衣類の縫目拡張装置
ＳＷ  スポーツウエァ（衣類）
ＵＷ，ＬＷ  左右の生地部
ＵＷｅ，ＬＷｅ  生地部端縁
Ｗ１ｅ，Ｗ２ｅ  線状縫製端縁部
Ｙ  強制移送方向
ｆ  引張り力
【図１】
2019010498.tif 000003
【図２】
2019010498.tif 000004
【図３】
2019010498.tif 000005
【図４】
2019010498.tif 000006
【図５】
2019010498.tif 000007
【図６】
2019010498.tif 000008
【図７】
2019010498.tif 000009
【図８】
2019010498.tif 000010
【図９】
2019010498.tif 000011
【図１０】
2019010498.tif 000012
【図１１】
2019010498.tif 000013
【図１２】
2019010498.tif 000014
【図１３】
2019010498.tif 000015
【図１４】
2019010498.tif 000016
【図１５】
2019010498.tif 000017
【図１６】
2019010498.tif 000018